(57)【要約】【課題】ヘッドに対するシャフトの円周上の向きを変化させることなく、しかも容易にかつ強固に、ユーザー自身が任意の角度に調角可能な構造のゴルフクラブを提供する。【解決手段】プラグ部材を固定したシャフトの先端部をホーゼル部のシャフト差込み孔に上方から差し込み、調角部材を下方から差し込み、固定ボルトを調角部材のボルト挿入孔から挿入してプラグ部材の雌ネジ部にねじ込む。シャフト差込み孔に差し込まれたプラグ部材の下端部外周面とこれに対応するシャフト差込み孔の内周面との間には径方向間隙が設定されるので、この径方向間隙の円周上一部に、調角部材に設けた円周上一部のスペーサ部を挿入する。そしてスペーサ部を円周上何れの位置で径方向間隙に挿入するかによってシャフトに対するヘッド本体の固定角度を調整する。【選択図】図２
2011087801.tif 000002
【特許請求の範囲】
【請求項１】
ヘッド本体に一体または別体で備えられるとともに貫通孔状のシャフト差込み孔を設けたホーゼル部と、シャフトの先端部に固定されるとともに前記シャフト差込み孔に差し込まれる有底筒状のプラグ部材と、前記シャフト差込み孔にその下端開口から挿入され、上方へ抜けることがないよう抜け止め係合部を設けた調角部材と、前記調角部材に設けたボルト挿入孔から挿入され、前記プラグ部材の端面部に設けた雌ネジ部にねじ込まれることにより前記調角部材およびプラグ部材を前記ホーゼル部に対し着脱自在に固定する固定ボルトとを有し、
前記シャフト差込み孔の上端開口周縁部とこれに対応する前記プラグ部材の外周部に球面軸受構造が設けられ、かつ前記ホーゼル部に対し前記プラグ部材を回り止めする回り止め構造が設けられ、
前記シャフト差込み孔に差し込まれた前記プラグ部材の下端部外周面とこれに対応する前記シャフト差込み孔の内周面との間に径方向間隙が設定され、
円周上一部で前記径方向間隙に挿入されることにより前記プラグ部材の下端部を前記シャフト差込み孔内で径方向何れかの方向へ片寄った状態で位置決めするスペーサ部が前記調角部材に設けられ、
前記スペーサ部が円周上何れの位置で前記径方向間隙に挿入されるかによって前記シャフトに対する前記ヘッド本体の固定角度が調整可能とされていることを特徴とするゴルフクラブ。
【請求項２】
請求項１記載のゴルフクラブにおいて、
前記球面軸受構造は、前記シャフト差込み孔の上端開口周縁部に設けられた環状の凹面状球面部と、前記プラグ部材の外周部に環状段差部を設けることによりこの段差部に設けられた環状の凸面状球面部との組み合わせよりなることを特徴とするゴルフクラブ。
【請求項３】
請求項１記載のゴルフクラブにおいて、
前記回り止め構造は、前記シャフト差込み孔の上端開口周縁部に設けられた円周上一部の凹部と、前記プラグ部材の外周部に環状段差部を設けることによりこの段差部に設けられた円周上一部の凸部との組み合わせよりなることを特徴とするゴルフクラブ。
【請求項４】
請求項１ないし３の何れかに記載のゴルフクラブにおいて、
前記シャフト差込み孔がその上端から下端へかけての方向で内径寸法を徐々に拡大するテーパー面状に形成されること、および／または前記プラグ部材がその上端から下端へかけての方向で外径寸法を徐々に縮小するテーパー面状に形成されることにより、前記シャフト差込み孔に差し込まれた前記プラグ部材の下端部外周面とこれに対応する前記シャフト差込み孔の内周面との間に径方向間隙が設定されることを特徴とするゴルフクラブ。
【請求項５】
請求項１ないし４の何れかに記載のゴルフクラブにおいて、
前記調角部材は、前記シャフト差込み孔にその下端開口から挿入される円盤状本体を有し、前記円盤状本体の外周面に鍔状ないし段差状を呈する前記抜け止め係合部が設けられ、前記円盤状本体の一端面における外周縁部に沿って円周上一部の前記スペーサ部が軸方向一方へ向けて一体成形され、前記スペーサ部はこれを軸方向一方から見て円弧形に成形され、
更に、前記円盤状本体の外径寸法から前記スペーサ部の径方向厚み寸法を差し引いた分の長さを直径とする円形状の中心位置に前記ボルト挿入孔が設けられていることを特徴とするゴルフクラブ。
【発明の詳細な説明】
【技術分野】
【０００１】
本発明は、調角可能、すなわちシャフトの中心軸線に対するヘッドの固定角度を調整可能なゴルフクラブに関する。
【背景技術】
【０００２】
現在市販されている調角可能なゴルフクラブについては、全てヘッドから一旦シャフトを抜き取り、さらにシャフトを回転させて調角を行なうため、調角後には調角前と比較してシャフトが所定角度回転した状態でヘッドに固定されることになる。しかしながらシャフトは、ヘッドに対する固定の向きによって微妙に打球時のシャフト振動数が異なるものである。したがって従来技術によると調角を行なうことによってシャフト振動数が変化するため、打球時のシャフトフィーリングが変わってしまうことになる。下記表１にシャフト回転位置による振動数の変化を記載する。
【０００３】
【表１】
2011087801.tif 000003
【０００４】
また、従来技術では上記したように調角後には調角前と比較してシャフトが回転した状態でヘッドに固定されるため、グリップについても同心円形状のグリップしか使用することができず、バックラインをもつ円周上の方向性を備えるグリップを使用することができない。したがってグリップをしっかりと握ることが難しく、またグリップのデザインについても制約を受けるものとなっている。
【０００５】
また、従来技術ではシャフトを挿入するパーツの端面内径部に十分な面取り加工を施せないため、シャフト折損の可能性が大きくなっている（特許文献１参照）。
【０００６】
また従来、シャフトの円周上の向きを変えずにしかも容易に調角可能なゴルフクラブも提案されているが、その方法は、複数の調角パーツを準備し、選択したパーツをシャフトに接着し直すものであって、必ずしも容易に調角可能であるとは言えない（特許文献２参照）。
【先行技術文献】
【特許文献】
【０００７】
【特許文献１】特開２００９−０５０６７６号公報
【特許文献２】特開２００６−０４２９５１号公報
【発明の概要】
【発明が解決しようとする課題】
【０００８】
本発明は以上の点に鑑みて、ヘッドに対するシャフトの円周上の向きを変えることなく、しかも容易にかつ強固に、ユーザー自身が任意の角度に調角可能な構造を有するゴルフクラブを提供することを目的とする。
【課題を解決するための手段】
【０００９】
上記目的を達成するため、本発明の請求項１によるゴルフクラブは、ヘッド本体に一体または別体で備えられるとともに貫通孔状のシャフト差込み孔を設けたホーゼル部と、シャフトの先端部に固定されるとともに前記シャフト差込み孔に差し込まれる有底筒状のプラグ部材と、前記シャフト差込み孔にその下端開口から挿入され、上方へ抜けることがないよう抜け止め係合部を設けた調角部材と、前記調角部材に設けたボルト挿入孔から挿入され、前記プラグ部材の端面部に設けた雌ネジ部にねじ込まれることにより前記調角部材およびプラグ部材を前記ホーゼル部に対し着脱自在に固定する固定ボルトとを有し、前記シャフト差込み孔の上端開口周縁部とこれに対応する前記プラグ部材の外周部に球面軸受構造が設けられ、かつ前記ホーゼル部に対し前記プラグ部材を回り止めする回り止め構造が設けられ、前記シャフト差込み孔に差し込まれた前記プラグ部材の下端部外周面とこれに対応する前記シャフト差込み孔の内周面との間に径方向間隙が設定され、円周上一部で前記径方向間隙に挿入されることにより前記プラグ部材の下端部を前記シャフト差込み孔内で径方向何れかの方向へ片寄った状態で位置決めするスペーサ部が前記調角部材に設けられ、前記スペーサ部が円周上何れの位置で前記径方向間隙に挿入されるかによって前記シャフトに対する前記ヘッド本体の固定角度が調整可能とされていることを特徴とする。
【００１０】
また、本発明の請求項２によるゴルフクラブは、上記した請求項１記載のゴルフクラブにおいて、前記球面軸受構造は、前記シャフト差込み孔の上端開口周縁部に設けられた環状の凹面状球面部と、前記プラグ部材の外周部に環状段差部を設けることによりこの段差部に設けられた環状の凸面状球面部との組み合わせよりなることを特徴とする。
【００１１】
また、本発明の請求項３によるゴルフクラブは、上記した請求項１記載のゴルフクラブにおいて、前記回り止め構造は、前記シャフト差込み孔の上端開口周縁部に設けられた円周上一部の凹部と、前記プラグ部材の外周部に環状段差部を設けることによりこの段差部に設けられた円周上一部の凸部との組み合わせよりなることを特徴とする。
【００１２】
また、本発明の請求項４によるゴルフクラブは、上記した請求項１ないし３の何れかに記載のゴルフクラブにおいて、前記シャフト差込み孔がその上端から下端へかけての方向で内径寸法を徐々に拡大するテーパー面状に形成されること、および／または前記プラグ部材がその上端から下端へかけての方向で外径寸法を徐々に縮小するテーパー面状に形成されることにより、前記シャフト差込み孔に差し込まれた前記プラグ部材の下端部外周面とこれに対応する前記シャフト差込み孔の内周面との間に径方向間隙が設定されることを特徴とする。
【００１３】
更にまた、本発明の請求項５によるゴルフクラブは、上記した請求項１ないし４の何れかに記載のゴルフクラブにおいて、前記調角部材は、前記シャフト差込み孔にその下端開口から挿入される円盤状本体を有し、前記円盤状本体の外周面に鍔状ないし段差状を呈する前記抜け止め係合部が設けられ、前記円盤状本体の一端面における外周縁部に沿って円周上一部の前記スペーサ部が軸方向一方へ向けて一体成形され、前記スペーサ部はこれを軸方向一方から見て円弧形に成形され、更に、前記円盤状本体の外径寸法から前記スペーサ部の径方向厚み寸法を差し引いた分の長さを直径とする円形状の中心位置に前記ボルト挿入孔が設けられていることを特徴とする。
【００１４】
上記構成を有する本発明のゴルフクラブにおいては、貫通孔状のシャフト差込み孔を設けたホーゼル部がヘッド本体に一体または別体で備えられ、有底筒状のプラグ部材がシャフトの先端部に固定される。プラグ部材はシャフトとともにシャフト差込み孔にその上端開口から差し込まれ、一方、シャフト差込み孔の下端開口には調角部材が差し込まれる。調角部材は上方へ抜けることがないように抜け止め係合部を備えている。
【００１５】
シャフト差込み孔に差し込まれたプラグ部材は、その被差込み部の上端部で球面軸受構造によってシャフト差込み孔の上端開口周縁部に保持され、一方、その被差込み部の下端部外周面とこれに対応するシャフト差込み孔の内周面との間には径方向間隙が設定される。したがってプラグ部材はシャフトとともに球面軸受構造を中心として径方向間隙の範囲内でホーゼル部に対し揺動可能とされる。
【００１６】
また、調角部材には、円周上一部で径方向間隙に挿入されるスペーサ部が設けられているので、このスペーサ部を円周上一部で径方向間隙に挿入することによりプラグ部材の下端部をシャフト差込み孔内で径方向何れかの方向へ片寄った状態で位置決めし、このときスペーサ部が円周上何れの位置で径方向間隙に挿入されるかによってシャフトに対するヘッド本体の固定角度が調整可能とされている。
【００１７】
例えば、スペーサ部がプラグ部材のヘッドトウ側で径方向間隙に挿入される場合は、プラグ部材の下端部がシャフト差込み孔内でヘッドヒール側へ片寄ることになるので、ヘッドライ角α（図１）が最大値となる。また反対に、スペーサ部がプラグ部材のヘッドヒール側で径方向間隙に挿入される場合は、プラグ部材の下端部がシャフト差込み孔内でヘッドトウ側へ片寄ることになるので、ヘッドライ角αが最小値となる。
【００１８】
また、スペーサ部がプラグ部材のバックフェース側で径方向間隙に挿入される場合は、プラグ部材の下端部がシャフト差込み孔内でフェース側へ片寄ることになるので、ヘッドフェース角β（図６）がスライス側に最大値となる。また反対に、スペーサ部がプラグ部材のフェース側で径方向間隙に挿入される場合は、プラグ部材の下端部がシャフト差込み孔内でバックフェース側へ片寄ることになるので、ヘッドフェース角βがフック側に最大値となる。
【００１９】
また、スペーサ部は円周上３６０度のエンドレスな範囲で何処でも挿入可能であるので、上記４箇所の調角位置のうち２箇所の調角位置の中間位置（斜めの位置）で径方向間隙に挿入される場合には、当該２箇所の調角位置による調角が複合的に行なわれる。
【００２０】
次いで、好みの調角位置が決まったら、固定ボルトが、調角部材に設けたボルト挿入孔から挿入され、プラグ部材の端面部に設けた雌ネジ部にねじ込まれることにより調角部材およびプラグ部材がホーゼル部に固定され、プラグ部材は予めシャフトに固定されているので、シャフトもホーゼル部に固定される。固定ボルトによる固定は、固定ボルトを締め付けたり緩めたりすることで着脱自在であるので、何度でも再調整が可能である。
【００２１】
尚、上記構成において、ホーゼル部に設けられたシャフト差込み孔の上端開口周縁部とこれに対応するプラグ部材の外周部には回り止め構造が設けられているので、プラグ部材およびこれを固定したシャフトは調角時、揺動しても回転はせず、ヘッドに対するシャフトの円周上の向きは全く変化しない。したがって調角後もシャフト振動数は変化せず、バックラインをもつ円周上の方向性を備えるグリップを使用することも可能となる。
【００２２】
上記球面軸受構造の具体例としては、シャフト差込み孔の上端開口周縁部に設けられた環状の凹面状球面部と、プラグ部材の外周部に環状の段差部を設けることによりこの段差部に設けられた環状の凸面状球面部との組み合わせを挙げることができ、この組み合わせ構造によれば、シャフト差込み孔の上端開口周縁部とプラグ部材外周の環状の段差部との同心度が常に確保され、ホーゼル部に対しプラグ部材およびシャフトが円滑に揺動する（請求項２）。
【００２３】
上記回り止め構造の具体例としては、シャフト差込み孔の上端開口周縁部に設けられた円周上一部の凹部と、プラグ部材の外周部に環状の段差部を設けることによりこの段差部に設けられた円周上一部の凸部との組み合わせを挙げることができ、この組み合わせ構造によれば、ホーゼル部とプラグ部材およびシャフトとが確実に回り止めされる（請求項３）。
【００２４】
また、上記構成においては、シャフト差込み孔に差し込まれるプラグ部材の被差込み部のうち、その上端部に差込み孔内周面との間の径方向間隙は殆ど設定されず、その下端部のみに差込み孔内周面との間の径方向間隙が設定されることになるが、これは、シャフト差込み孔がその上端から下端へかけての方向で内径寸法を徐々に拡大するテーパー面状に形成されること、および／またはプラグ部材がその上端から下端へかけての方向で外径寸法を徐々に縮小するテーパー面状に形成されることにより実現され、製造時にこれらテーパーの角度を何度に設定するかによって、調角範囲の大小を調整することも可能とされる（請求項４）。
【００２５】
調角部材の具体例としては、シャフト差込み孔にその下端開口から挿入される円盤状本体を有し、この円盤状本体の外周面に鍔状ないし段差状を呈する抜け止め係合部が設けられ、円盤状本体の一端面における外周縁部に沿って円周上一部のスペーサ部が軸方向一方へ向けて一体成形され、スペーサ部はこれを軸方向一方から見て円弧形に成形されるものを挙げることができ、この形状ないし構造によれば、スペーサ部が円盤状本体に一体化されることから円盤状本体を回転させればスペーサ部も回転し、よって調角作業が容易化される（請求項５）。
【００２６】
但し、スペーサ部が円盤状本体の一端面における外周縁部に沿って円周上一部に設けられて、プラグ部材の外周面とシャフト差込み孔の内周面との間の径方向間隙の円周上一部に挿入されると、円盤状本体とプラグ部材の端面部とが互いに偏心することになるので、両者の各中心位置にボルト挿入孔および雌ネジ部を設けたのでは、これらが互いに偏心してしまって固定ボルトをねじ込めないことが懸念される。そこで本発明では、円盤状本体の外径寸法からスペーサ部の径方向厚み寸法を差し引いた分の長さを直径とする円形状の中心位置にボルト挿入孔が設けられることにし、これにより調角位置の如何にかかわらず何時でもボルト挿入孔と雌ネジ部との位置を合致させて固定ボルトをねじ込めるようにした。円形状は円弧形のスペーサの内側の面に内接しかつその１８０度対称位置で円盤状本体の外周面に内接する円のことを云い、この円自体が円盤状本体に対し偏心した位置に設定されることになる（請求項５）。
【発明の効果】
【００２７】
上記構成を有する本発明によれば、ヘッドに対するシャフトの円周上の向きを変化させることなく、しかも容易にかつ強固に、ユーザー自身が任意の角度に調角可能な構造のゴルフクラブを提供することができる。ヘッドに対するシャフトの円周上の向きは変化せず、よって調角後もシャフト振動数は変化せず、バックラインをもつ円周上の方向性を備えるグリップを使用することもできる。調角は固定ボルトを緩めて調角部材を回転させることによって行なわれるので、シャフトを取り外す必要がない。固定は固定ボルトの締め付けによって行なわれるので、極めて強固で再調整も容易である。また調角は円周上３６０度のエンドレスな無段階調整であるので、ユーザーが好みに応じて微妙な調整を行なうことができる。
【００２８】
請求項２の構成によれば、シャフト差込み孔の上端開口周縁部とプラグ部材外周の環状の段差部との同心度が常に確保され、ホーゼル部に対しプラグ部材およびシャフトが円滑に揺動する。請求項３の構成によれば、ホーゼル部とプラグ部材およびシャフトとが確実に回り止めされる。請求項４の構成によれば、製造時にこれらテーパーの角度を何度に設定するかによって調角範囲の大小を調整することも可能とされる。請求項５の構成によれば、円盤状本体を回転させればスペーサ部も回転することから調角作業が容易化され、固定ボルトによるねじ込み作業が円滑化される。
【図面の簡単な説明】
【００２９】
【図１】本発明の実施例に係るゴルフクラブの縦断面図
【図２】図１の要部拡大図
【図３】同ゴルフクラブを分解した状態の要部縦断面図
【図４】調角部材の平面図
【図５】調角部材を１８０度回転させた状態の要部縦断面図
【図６】調角部材を右９０度回転させた状態の説明図であって、（Ａ）はヘッドの平面図、（Ｂ）はこのときのスペーサ部の配置を示す概略横断面図
【図７】調角部材を左９０度回転させた状態の説明図であって、（Ａ）はヘッドの平面図、（Ｂ）はこのときのスペーサ部の配置を示す概略横断面図
【図８】本発明の他の実施例に係るゴルフクラブの縦断面図
【発明を実施するための形態】
【００３０】
本発明には、以下の実施形態が含まれる。
【００３１】
（１）本発明は、上記課題を解決するため、ヘッド本体のヒール側に位置するホーゼル上端が開口し且つソール側まで貫通しているパーツ挿入穴を有するゴルフクラブヘッドと、前記挿入穴に挿入される、テーパー穴を有し且つ上端部内径側に球面形状面取りを施し、更にヘッド回転防止凹形状を配置したホーゼルパーツ部と、これにシャフトと共に挿入され、且つこのシャフトの先端部に接着される、底面にネジ穴を備え、ホーゼルパーツ部上端の球面状面取り部に擦り合わさる部分を球面加工し、且つヘッド回転防止凸部を有し、更には、この上端内径部にシャフト折損防止の為のテーパー加工を施したプラグ部と、テーパー穴を有したホーゼルパーツに挿入されたプラグ部との間に挿入する、底面の中心より任意の角度（１度から３度、好ましくは１度から２度）のセンターをずらして開口した、固定用ボルトを通すための貫通穴を有した調角ユニットと、前記ネジ穴を備えたシャフト先端部に装着されたプラグ部にネジ結合するボルトと、を含むことを特徴とする。
（２）これにより、グリップが装着されたシャフトを抜き差し及び回転させることなく、調角ユニット部を回転させることにより、ユーザーが任意の調角位置を選択することができる。
（３）更に、前記ホーゼルパーツ部について、このパーツの機能をヘッド本体のホーゼル穴部に直接採用、すなわち、このパーツの構造をヘッド成型時に一体成型する事も可能であるため、ホーゼルパーツ部の重量を軽量化でき、ヘッドの低重心化を可能とすることを特徴とする。尚、前記ゴルフクラブには、ウッド（ドライバー、フェアウェイウッド、ユーティリティ）などに限らず、前記調角パーツが適用可能なアイアン、パターも含まれる。
（４）前記ホーゼルパーツ部とシャフトが装着されたプラグ部の接触面、すなわち、擦り合わせ面においては、隙間、段差がなく、密着に優れた球面形状の擦り合わせ面を有し、且つヘッド回転防止のための凸凹形状についても独自の形状を有し、結合ボルトで、一定のトルクで締め付けを行なうことにより、強固に固定されることも含まれる。
【００３２】
上記（１）〜（４）の構成によれば、以下の作用効果が発揮される。
【００３３】
（５）本発明の調角パーツにより、シャフトの振動数を一定に保ちながら調角可能となる。
（６）シャフトを一定方向に保てるため、シャフトデザインを自由に選択できる。
（７）シャフトを一定方向に保てるため、グリップのデザインの選択の自由度、バックライン等の機能性のあるグリップが装着可能である。
（８）ヘッドとシャフトが簡単に脱着出来る構造であるため、シャフトの種類も自由に選択可能である。
（９）角度調整位置については、製造側が指定した調角位置ではなく、ユーザーが、自由に、任意の調角位置を選択することが可能である。
（１０）プラグの、シャフト接合部に面取り加工が可能なため、シャフト折損を大幅に削減させることが可能である。
（１１）これらの調角パーツのうち、ホーゼルパーツ部について、その構造を直接ヘッド本体に一体構造として成型可能であるため、ホーゼルパーツ部の重量分が軽量化になり、その軽量化分の重量をヘッド本体に振り分けられるため、ヘッドの更なる低重心化が可能となる。
【実施例】
【００３４】
つぎに、本発明の実施例を図面にしたがって説明する。図１は本発明の実施例に係るゴルフクラブの縦断面図であって、その要部拡大図が図２に示されている。また図３は、当該ゴルフクラブを分解した状態の縦断面図である。
【００３５】
当該実施例に係るゴルフクラブは、ゴルフクラブヘッド（単にヘッドとも称する）１、シャフト５およびグリップ６を有するとともにホーゼルジョイントシステム構造８を有し、このホーゼルジョイントシステム構造８が、ヘッド１におけるヘッド本体２に一体で備えられるとともに貫通孔状のシャフト差込み孔４を設けたホーゼル部３と、シャフト５の先端部に固定されるとともにシャフト差込み孔４に差し込まれる有底筒状のプラグ部材（プラグ部とも称する）９と、シャフト差込み孔４にその下端開口から挿入され、上方へ抜けることがないよう抜け止め係合部１０ｂを設けた調角部材（調角ユニットとも称する）１０と、調角部材１０に設けたボルト挿入孔１０ｄから挿入され、プラグ部材９の端面部９ｄに設けた雌ネジ部９ｅにねじ込まれることにより調角部材１０およびプラグ部材９をホーゼル部３に対し着脱自在に固定する固定ボルト１１とを有している。
【００３６】
ヘッド１は、例えばチタン合金を精密鋳造した中空体よりなり、フェース、クラウン、ソール、ヒールおよびバックフェースを備えるヘッド本体２を有し、更に上記ホーゼル部３を一体に有している。
【００３７】
ホーゼル部３に設けられたシャフト差込み孔４は、上記したように貫通孔状であって、その内周面がその上端から下端へかけての方向で内径寸法が徐々に拡大するテーパー面状に形成されている。尚、図示はしないが、ホーゼル部３に設けた貫通孔の内周面に別体のスリーブ（ホーゼルパーツ部とも称する）を固着してその内周空間を同じく貫通孔状のシャフト差込み孔４として利用しても良く、この場合にはスリーブの内周面が上記したテーパー面状に形成される。またこの場合スリーブは、例えばチタン合金またはアルミニウム合金の鋳造材または鍛造材を機械加工したものとするのが好適である。
【００３８】
シャフト５の先端に固定されるプラグ部材９は、上記したように有底筒状であって、例えば接着などの手段によってシャフト５の先端に差し込み固定されている。またこのプラグ部材９は例えばチタン合金またはアルミニウム合金の鋳造材または鍛造材を機械加工したものよりなり、その円筒部の外周面に環状の段差部９ａを有し、この段差部９ａを境としてその下側に、シャフト差込み孔４に差し込まれる比較的小径の被差込み部９ｂが設けられるとともに、その上側に、シャフト差込み孔４に差し込まれることなくホーゼル部３の上方に配置される比較的大径のホーゼル延長部９ｃが設けられている。
【００３９】
上記段差部９ａは、シャフト差込み孔４の上端開口周縁部すなわちホーゼル部３の上端部に突き当てられて保持されるものであって、ここに球面軸受構造１３が設けられ、またホーゼル部３に対してプラグ部材９を回り止めするための回り止め構造１４が設けられている。球面軸受構造１３は、シャフト差込み孔４の上端開口周縁部に設けられた環状の凹面状球面部３ｆと、段差部９ａに設けられた環状の凸面状球面部９ｆとの組み合わせよりなり、両球面部３ｆ，９ｆが滑動することによって軸受機能が発揮される。一方、回り止め構造１４は、シャフト差込み孔４の上端開口周縁部に設けられた円周上一部の凹部３ｇと、段差部９ａに設けられた円周上一部の凸部９ｇとの組み合わせよりなり、凹部３ｇと凸部９ｇが円周方向に係合することによって回り止め機能が発揮される。凹部３ｇと凸部９ｇの組み合わせは円周上複数（例えば４等配状）設けるのが好適であるが、いくつ設けるにしても上記両球面部３ｆ，９ｆによる軸受機能を阻害しない形状（例えば、両球面部３ｆ，９ｆが滑動するのに伴って凹部３ｇおよび凸部９ｇも互いに同方向に滑動可能な断面円弧状の形状など）とされている。尚、シャフト差込み孔４の上端開口周縁部には先に凹面状球面部３ｆが設けられているので、凹部３ｇはこの凹面状球面部３ｆの表面上に設けられ、あるいは図示するように凹面状球面部３ｆからシャフト差込み孔４の内周面へかけての部位に設けられる。また同様に、段差部９ａには先に凸面状球面部９ｆが設けられているので、凸部９ｇはこの凸面状球面部９ｆの表面上に設けられ、あるいは図示するように凸面状球面部９ｆからホーゼル延長部９ｃの外周面へかけての部位に設けられる。
【００４０】
プラグ部材９における被差込み部９ｂは、その外周面を軸方向ストレートな円筒面状に形成され、その外径寸法をシャフト差込み孔４の上端部の内径寸法（すなわちシャフト差込み孔４の最小内径寸法）と略同じに設定されている。一方、上記したようにシャフト差込み孔４はその内周面がその上端から下端へかけて漸次拡径するテーパー面状に形成されている。したがって被差込み部９ｂの上端部外周には殆ど隙間が生じないが、被差込み部９ｂの下端部外周にはシャフト差込み孔４の内周面との間に径方向間隙１５が形成されている。したがってプラグ部材９は、上記球面軸受構造１３を揺動の中心として、この径方向間隙１５の範囲内でホーゼル部３に対し揺動することが可能とされている。
【００４１】
また、プラグ部材９は上記したように有底筒状であるので、その下端に端面部９ｄを有し、この端面部９ｄの中心位置に雌ネジ部（雌ネジ孔）９ｅが設けられている。
【００４２】
調角部材１０は、例えばチタン合金またはアルミニウム合金材を機械加工したものであって、シャフト差込み孔４にその下端開口から挿入される円盤状本体１０ａを有し、この円盤状本体１０ａの外周面に、鍔状ないし段差状を呈する環状の抜け止め係合部１０ｂが設けられている。この抜け止め係合部１０ｂは、シャフト差込み孔４の下端開口周縁部に対し軸方向に係合し、当該調角部材１０が上方へ抜けてしまうのを防止する。
【００４３】
また、円盤状本体１０ａの上端面には、その外周縁部に沿って円周上一部のスペーサ部１０ｃが上方へ向けて一体成形されている。図４はこの調角部材１０の平面図を示すもので、この図４に示されるように、スペーサ部１０ｃはこれを軸方向一方から見て円弧形ないし略円弧形に成形されて円筒の円周上一部の形状をなし、これが円周上一部で上記径方向間隙１５に挿入されることによりプラグ部材９の下端部をシャフト差込み孔４内で径方向何れかの方向へ片寄った状態で位置決めする機能を発揮する。したがってスペーサ部１０ｃの径方向厚み寸法ｔは、シャフト差込み孔４の下端部近傍の内径寸法をｄ１、プラグ部材９の被差込み部９ｂの外径寸法をｄ２として、ｔ≒ｄ１−ｄ２とされるのを原則とする。
【００４４】
尚、上記したようにシャフト差込み孔４の内周面は下端へ向けて漸次拡径するテーパー面状とされているので、これ対応してスペーサ部１０ｃの厚み寸法は先端へ向けて漸次薄くするのが一層好ましい。また、シャフト差込み孔４の内周面に接するスペーサ部１０ｃの外周面を該内周面に対応してテーパー面状とし、プラグ部材９の被差込み部９ｂの外周面に接するスペーサ部１０ｃの内周面を該外周面に対応して軸方向ストレートな円筒面状とするのが一層好ましい。また、シャフト差込み孔４内でプラグ部材９の被差込み部９ｂの下端部を径方向一方へ片寄せたとき、径方向間隙１５はその径方向最大幅が２倍となってその軸直角断面形状が円周方向両端へ向けてそれぞれ漸次幅狭となる三日月形状を呈することになるので、これに対応してスペーサ部１０ｃの厚み寸法を図４に示すように円周方向両端へ向けてそれぞれ漸次薄くするのが一層好ましい。これらは何れも組立て後の隙間を極力なくし、よってがたつきを抑制してプラグ部材９をホーゼル部３にしっかりと連結するのに有効である。また、図４においてスペーサ部１０ｃの円周方向設定角度（円弧の角度）は略１８０度とされ、この角度は大きいほうが連結が安定するが、機能的には１８０度より小さくても十分である。
【００４５】
また、円盤状本体１０ａには、固定ボルト１１の雄ネジ部を差し通すためのボルト挿入孔１０ｄが設けられている。このボルト挿入孔１０ｄの内径寸法は固定ボルト１１の頭部の外径寸法よりも小さく設定されている。またボルト挿入孔１０ｄは図４に示すように、円盤状本体１０ａの外径寸法ｄ３からスペーサ部１０ｃの径方向厚み寸法ｔを差し引いた分の長さｄ４を直径とする円形状１０ｅの中心位置に設けられている。この円形状１０ｅは図上点線で示すように、円弧形のスペーサ部１０ｃの内周面に内接しかつその１８０度対称位置で円盤状本体１０ａの外周面に内接する円のことを云い、すなわちこの円形状１０ｅとしてはプラグ部材９の端面部９ｄが想定されている。
【００４６】
上記構成のゴルフクラブは、その組み立てに際し、プラグ部材９を固定したシャフト５の先端部をホーゼル部３のシャフト差込み孔４に上方から差し込み、一方、調角部材１０をシャフト差込み孔４に下方から差し込み、固定ボルト１１を調角部材１０のボルト挿入孔１０ｄから挿入してプラグ部材９の雌ネジ部９ｅにねじ込むものであって、以下のようにしてシャフト５の中心軸線に対するヘッド１の固定角度が調整されることになる。
【００４７】
（１）すなわち、プラグ部材９を固定したグリップ６装着済みのシャフト５を、そのシャフト性能が最も発揮される位置を正面にして、ホーゼル部３のシャフト差込み孔４に上方から差し込む。次に、調角部材１０をシャフト差込み孔４に下方から差し込み、このとき円周上一部のスペーサ部１０ｃが例えば図１および図２に示すように、ヘッドトウ側に位置するように装着する。次に、固定ボルト１１を調角部材１０のボルト挿入孔１０ｄから挿入してプラグ部材９の雌ネジ部９ｅにねじ込み、プラグ部材９および調角部材１０を指定のトルクで締め付ける。上記手順で調角した場合、ライ角αはアップライト最大値となる。
【００４８】
（２）つぎに、上記ライ角αをフラットに調角する方法を示す。先ず、固定ボルト１１をシャフト５が回転しない程度に緩め、図５に示すように調角部材１０をヒール側に１８０度回転させ、再度固定ボルト１１を指定トルクで締め付ける。上記方法で調角した場合、ライ角αは最小値（フラット）となる。
【００４９】
（３）つぎに、フェース角βをスライス側に調角する方法を示す。先ず、固定ボルト１１をシャフト５が回転しない程度に緩め、図６に示すように調角部材１０を図１および図２の位置から右回りに９０度回転させ、再度固定ボルト１１を指定トルクで締め付ける。上記方法で調角した場合、フェース角βがスライス側最大値となる。
【００５０】
（４）つぎに、上記フェース角βをフック側に調角する方法を示す。先ず、固定ボルト１１をシャフト５が回転しない程度に緩め、図７に示すように調角部材１０を図１および図２の位置から左回りに９０度回転させ、再度固定ボルト１１を指定トルクで締め付ける。上記方法で調角した場合、フェース角βがフック側最大値となる。
【００５１】
上記の調角方法で調角した場合のライ角、ロフト角、フェース角の関係を表２に示す。
【００５２】
【表２】
2011087801.tif 000004
注１）ライ角最大値を基準（０°）とし、調角部材１０を上部クラウン側から見た場合、時計回転方向に回転させた場合の例。
注２）シャフト差込み孔４の内径部テーパー角が、１．０°の例。
注３）フェース角βは、シャフト中心軸線に直交する方向に対するフェース面２ａのなす角度。スライスフェースは＋表示、フックフェースは−表示。
注４）この角度調整例に使用したヘッド１は、ウッド型ユーティリティヘッド（ロフト角２０度）の例を示す。
【００５３】
この表２は、代表的な調角位置４箇所について例を示したが、調角部材は０度の位置から３６０度回転し、無段階的に調角することができるので、ユーザーは任意の位置での角度調整が可能である。
【００５４】
更には、この調角対応ゴルフクラブにおいては、固定ボルト１１を完全に緩めることで、簡単にシャフト５の脱着が可能であるため、異なるシャフト５の種類についても選択可能である。
【００５５】
本発明のゴルフクラブにはウッド（ドライバー、フェアウェイウッド、ユーティリティ）に限らず、アイアン、パターなども含まれる。
【００５６】
以上、本発明の好ましい実施形態について説明したが、本発明は、上記説明した実施形態以外にも、その目的の範囲を逸脱しない限りにおいてその構成を適宜変更することが可能である。例えば図８に示すようにホーゼル部３をヘッド本体２と一体構造とせず、独立させても良い。
【符号の説明】
【００５７】
１  ヘッド
２  ヘッド本体
２ａ  フェース
３  ホーゼル部
３ｆ  凹面状球面部
３ｇ  凹部
４  シャフト差込み孔
５  シャフト
６  グリップ
８  ホーゼルジョイントシステム構造
９  プラグ部材
９ａ  段差部
９ｂ  被差込み部
９ｃ  ホーゼル延長部
９ｄ  端面部
９ｅ  雌ネジ部
９ｆ  凸面状球面部
９ｇ  凸部
１０  調角部材
１０ａ  円盤状本体
１０ｂ  抜け止め係合部
１０ｃ  スペーサ部
１０ｄ  ボルト挿入孔
１０ｅ  円形状
１１  固定ボルト
１３  球面軸受構造
１４  回り止め構造
１５  径方向間隙
【図１】
2011087801.tif 000005
【図２】
2011087801.tif 000006
【図３】
2011087801.tif 000007
【図４】
2011087801.tif 000008
【図５】
2011087801.tif 000009
【図６】
2011087801.tif 000010
【図７】
2011087801.tif 000011
【図８】
2011087801.tif 000012